(57)【要約】【課題】  本発明は、陽電子断層診断用医薬品の製造時に副産物としてターゲット水に蓄積されるトリチウムを、気体として大気中へ安全に放出できるようにした方法を提供することを課題とする。【解決手段】  サイクロトロンで陽子を照射されることによりターゲット水に含まれるようになったトリチウムＴをＨＴガスとして大気中へ放出できるようにするため、トリチウム含有ターゲット水を電解セル４に導いて電気分解により分子状酸素18Ｏ2とＨＴガスとに分解する。ＨＴガスは煙突10を通じて放出し、流出する分子状酸素18Ｏ2については、キャリヤーガスＮ2および水素ガスＨ2を合流させて、結合カラム８を介しＨ218Ｏとして冷却捕集する。【選択図】          図１
2006133198.tif 000002
【特許請求の範囲】
【請求項１】
陽電子断層診断用医薬品としてのフルオロ・デオキシ・グルコースを合成するため、酸素１８が濃縮されたターゲット水にサイクロトロンで陽子を照射して18Ｏ（ｐ，ｎ）18Ｆ反応により18Ｆを生成する際に、競合核反応である18Ｏ（ｐ，ｔ）16Ｏ反応によって生成されるトリチウム含有ターゲット水について、トリチウムを除去すべく、同トリチウム含有ターゲット水を電解セルへ導いて電気分解により分子状酸素18Ｏ2とＨＴガスとに分解し、流出する上記分子状酸素についてはキャリヤーガスＮ2および水素ガスＨ2を合流させて結合カラムを介しＨ218Ｏとして冷却捕集するとともに、上記ＨＴガスは大気中へ放出することを特徴とする、陽電子断層診断用医薬品製造時のトリチウム除去方法。
【発明の詳細な説明】
【技術分野】
【０００１】
本発明は、陽電子断層診断用医薬品の製造時に副産物として生じるトリチウムを、安全に処理するための方法に関する。
【背景技術】
【０００２】
従来、陽電子断層診断（以下、Positron Emission Tomography の頭文字を組み合わせてＰＥＴと呼ぶ。）に用いられる医薬品としてのＦＤＧ（［18Ｆ］−２−ｆｌｕｏｒｏ−２−ｄｅｏｘｙ−Ｄ−ｇｌｕｃｏｓｅ）は、糖代謝診断に用いられているが、これに含まれる、フッ素の放射性同位体であるフッ素１８（18Ｆ）は、半減期１０９.８ｍｉｎの陽電子（ポジトロン）放出核種である。
ＦＤＧは一般に、サイクロトロンで陽子を酸素１８が濃縮された水（濃縮［18Ｏ］−Ｈ2Ｏ）に照射して、18Ｏ（ｐ，ｎ）18Ｆ反応によって18Ｆを生成し、それを原料にして合成されているが、その際、競合核反応である18Ｏ（ｐ，ｔ）16Ｏ反応によってトリチウム（3Ｈ）も生成される。
ある研究によれば、ターゲット水回収量は１回当たり約１ｍＬで、トリチウム生成量は18Ｆ生成量の２.４×１０-6であった。
トリチウム（3Ｈ）は水素の放射性同位体で半減期１２.３年のβ崩壊核種である。したがって、ＦＤＧ合成を行う作業者のトリチウムによる放射線被曝や使用済みターゲット水の処分などが問題になり、ターゲット水に蓄積されるトリチウムを取り除くことが望まれている。しかし、使用されるターゲット水が少量でかつ高価であることから、操作が困難であり、実際には行われていない。
【非特許文献１】伊藤茂樹他、第４回環境放射能研究会プロシーディングス、（２００３年）３４５−３５１頁
【発明の開示】
【発明が解決しようとする課題】
【０００３】
本発明は、前述のＰＥＴ製造時に副産物としてターゲット水に蓄積されるトリチウムを、気体として大気中へ安全に放出できるようにした方法を提供することを課題とする。
【課題を解決するための手段】
【０００４】
前述の課題を解決するため、本発明のトリチウム除去方法は、陽電子断層診断用医薬品としてのフルオロ・デオキシ・グルコースを合成するため、酸素１８が濃縮されたターゲット水にサイクロトロンで陽子を照射して18Ｏ（ｐ，ｎ）18Ｆ反応により18Ｆを生成する際に、競合核反応である18Ｏ（ｐ，ｔ）16Ｏ反応によって生成されるトリチウム含有ターゲット水について、トリチウムを除去すべく、同トリチウム含有ターゲット水を電解セルへ導いて電気分解により分子状酸素18Ｏ2とＨＴガスとに分解し、流出する上記分子状酸素についてはキャリヤーガスＮ2および水素ガスＨ2を合流させて結合カラムを介しＨ218Ｏとして冷却捕集するとともに、上記ＨＴガスは大気中へ放出することを特徴としている。
【発明の効果】
【０００５】
上述の本発明のトリチウム除去方法では、陽電子断層診断用医薬品の製造時に生成されたトリチウム含有ターゲット水ＨＴ18Ｏが、電解セルへ導かれて、同電解セル内の陽極および陰極の作用で電気分解されることにより分子状酸素18Ｏ2とＨＴガスとに分解される。
【０００６】
このようにして生成されたＨＴガスは、所要の濃度限度以下であることを確かめながら大気中へ放出される。ＨＴガスはＨＴＯよりも遥かに人体影響が小さく、大気中におけるＨＴからＨＴＯへの変換速度は非常に遅い。さらに、半減期１２.３年でトリチウムは次第に無害なＨｅに壊変していくことから、安全性は十分に確保されることになる。
【０００７】
また、分子状酸素18Ｏ2については、キャリヤーガスＮ2および水素ガスＨ2を合流させて、結合カラムを介し容易に無害のＨ218Ｏとして冷却捕集することができる。
【実施例】
【０００８】
糖代謝診断などに用いられるＰＥＴ用医薬品としてのＦＤＧの製造時に、サイクロトロンで陽子を照射されるターゲット水には、水素の放射性同位元素としての危険なトリチウムＴが含まれる。そこで、本実施例では、電解セルにおける電気分解によって、上記ターゲット水に含まれるトリチウムＴを、分子状水素（ＨＴ）に移動させてから、これを大気中へ放出する手段が採用される。
【０００９】
すなわち、人体に対する影響の違いから、放射線管理区域から排出する場合、分子状水素（水素ガス）のトリチウムの法規制値は、水蒸気状に比べて［表１］に示すように、約１０,０００倍緩くなっているので放出には問題はない。
【表１】
2006133198.tif 000003
【００１０】
上記の電気分解による反応は、［数１］式のように行われる。
［数１］
２1Ｈ3Ｈ18Ｏ（liquid）→ ２1Ｈ3Ｈ（gas）＋18Ｏ2（gas）
【００１１】
また、再結合反応は、［数２］式のように行われる。
［数２］
２1Ｈ（gas）＋18Ｏ2（gas）→ ２1Ｈ218Ｏ（liquid）
【００１２】
本実施例では、図１に示すように、直流電源１に接続された陽極２および陰極３を有する電解セル４の内部に、トリチウム含有ターゲット水ＨＴ18Ｏが導かれて、同電解セル４の内部で電気分解により分子状酸素18Ｏ2とＨＴガスとに分解される作用が行われる。
なお、陽極２と陰極３との間にはＳＰＥ膜５が設けられている。
そして、発生したトリチウムを含むＨＴガスは、煙突10を通じ大気中へ放出される。
【００１３】
また、上記の分子状酸素18Ｏ2については、第１ボンベ６から導かれたキャリヤーガスＮ2と第２ボンベ７から導かれた水素ガスＨ2とを合流させることにより、結合カラム８を介し容易に無害のＨ218Ｏとしてタンク９内に冷却捕集することができる。
そして、余剰ガス（Ｈ2＋Ｎ2）は別の図示しないタンクへ移される。
【００１４】
このようにして、煙突10から大気中へ放出されたＨＴガスは、空気よりも軽いので大気圏上層へ向かって上昇し、安全性が確保されるようになるが、生活圏に存在しても、液体（ターゲット水）に含まれるトリチウムの場合に比べれば、ほとんど無害になるといえる。
【産業上の利用可能性】
【００１５】
ＰＥＴが急速に普及し始めているので、トリチウムの蓄積されたターゲット水の無害化処理が急がれることになるが、トリチウムの蓄積の割合が基準値を超えたターゲット水を処理センターに集めて、本発明の方法により総合的にトリチウム除去処理を施すことが望まれる。
【図面の簡単な説明】
【００１６】
【図１】本発明の一実施例としての方法に用いられる装置を模式的に示す説明図である。
【符号の説明】
【００１７】
１  直流電源
２  陽極
３  陰極
４  電解セル
５  ＳＰＥ膜
６  第１ボンベ
７  第２ボンベ
８  結合カラム
９  タンク
10  煙突
【図１】
2006133198.tif 000004